(57)【特許請求の範囲】
【請求項１】
多数枚の枚葉紙が少なくとも一方端から取り出すことのできるように外装紙で包装されており、かつ、該外装紙の開封前、取り出し側の両側縁に該多数枚葉紙の縁部と該外装紙との間に引手部を有するガイド板を挟み込むと共に、該ガイド板は該外装紙一方端の開封時、該外装紙の内部より外部に引き抜かれて、該多数枚葉紙と該外装紙との間に隙間を形成することを特徴とする多数枚葉紙の包装形態。
【請求項２】
多数枚の枚葉紙が少なくとも一方端から取り出すことのできるように外装紙で包装されており、かつ、該外装紙の開封前、その取り出し側で該多数枚葉紙の最上紙と該外装紙との間に、手掛穴を有し該枚葉紙と同程度の大きさで厚みのある当て板を挟み込むと共に、該当て板は該外装紙一方端の開封時、該外装紙の内部より外部に引き抜かれて、該多数枚葉紙と該外装紙との間に隙間を形成することを特徴とする多数枚葉紙の包装形態。
【発明の詳細な説明】
【０００１】
【発明の属する技術分野】
本発明は枚葉のジアゾ感光紙、ＰＰＣ用紙など、特にＡ−２判以上の大判紙の包装に適する多数枚葉紙の包装形態に関する。
【０００２】
【従来の技術】
多数枚の枚葉紙を包装する際に、段ボール製の当て板を用紙の角部あるいは縁部に宛がうことは、一般に行なわれている。しかし、そうした手段が採られるのは、輸送時における包装内の用紙に折れ、曲げ等の生じるのを阻止することに限られている。
【０００３】
【発明が解決しようとする課題】
しかし、従来の包装形態では、その取扱いにおいて用紙のサイズが大きいと少数枚ずつが取り出しにくく、また、ジアゾ感光紙等はその特性上光を遮断しておく必要から、外装紙を破かずに保管する必要があり、その一枚ずつの取り出しは面倒である。
本発明の課題は、外装紙を破くことなく用紙を一枚ずつでも容易に取り出すことができ、また、一旦取り出した用紙を外装紙内への戻すことが簡単に行なえる、多数枚葉紙の包装形態を提供することである。
【０００４】
【課題を解決するための手段】
本発明によれば、第一に、多数枚の枚葉紙が少なくとも一方端から取り出すことのできるように外装紙で包装されており、かつ、該外装紙の開封前、取り出し側の両側縁に該多数枚葉紙の縁部と該外装紙との間に引手部を有するガイド板を挟み込むと共に、該ガイド板は該外装紙一方端の開封時、該外装紙の内部より外部に引き抜かれて、該多数枚葉紙と該外装紙との間に隙間を形成することを特徴とする多数枚葉紙の包装形態が提供される。
第二に、多数枚の枚葉紙が少なくとも一方端から取り出すことのできるように外装紙で包装されており、かつ、該外装紙の開封前、その取り出し側で該多数枚葉紙の最上紙と該外装紙との間に、手掛穴を有し該枚葉紙と同程度の大きさで厚みのある当て板を挟み込むと共に、該当て板は該外装紙一方端の開封時、該外装紙の内部より外部に引き抜かれて、該多数枚葉紙と該外装紙との間に隙間を形成することを特徴とする多数枚葉紙の包装形態が提供される。
【０００５】
本発明の枚葉紙の包装形態によれば、外装紙と内容物である用紙（枚葉紙）との間に、ガイド板又は当て板を配置する。この段階では、用紙と外装紙との間に隙間はなく、輸送等には好都合である。用紙の取り出し時には、これらガイド板又は当て板を抜き出すことによって、用紙と外装紙との間に適度の隙間が形成され、用紙の取り出し、及び余分に取り出した用紙を再び終うことが容易になる。
【０００６】
【発明の実施の形態】
本発明では、ガイド板、当て板のいずれかが選択的に使用されてもよいが、必要に応じて、両者を一つの包装に併用してもよい。また、開封口の位置は縦包装形態（図６（ａ））、横包装形態（図６（ｂ））のいずれであってもかまわないが、後者の横包装形態の方が用紙の取り出しやすさの点で有利である。
【０００７】
図１（ａ）は外装紙１と枚葉紙２の両端との間にガイド板３がセットされている様子を表わしている。図中、３１はガイド板３に連がる引手部である。図１（ｂ）は外装紙１が開封され、引手部３１によってガイド板３を引っぱり出す様子を表わしている。
図７（ａ）は幅（Ｌ）の枚葉紙２が多数枚厚さ（ｈ）に重ねられ、これの両端に、幅（ｔ）で厚さ（ｈ）のガイド板３がセットされた状態を表わしている。図７（ｂ）はガイド板３が外されると、外装紙１の一方面の幅は（Ｌ＋２×２ｔ）となり２×２ｔ分だけ余裕が生じる。このため、包装内からの枚葉紙を容易に取り出すことができる。
【０００８】
図２（ａ）は包装内に枚葉紙とほぼ同じ大きさの当て板４を収めた状態の図である。図２（ｂ）はその当て板４が開封口から引き出される様子を表わしている。
図８（ａ）は幅（Ｌ）の枚葉紙が多数枚厚さ（ｈ）に重ねられ、その上に幅（Ｌ）で厚さ（ｔ）の当て板４がセットされた状態を表わしている。図８（ｂ）は当て板４が外されると、外装紙１の一方面の幅は（Ｌ＋２ｔ）となり２ｔ分だけ余裕が生じる。このため、包装内からの枚葉紙は容易に取り出される。
【０００９】
当て板４を包装から抜き出しやすくするために、当て板４を掴む箇所には引手部４１（図２（ｂ））、手掛穴４２（図３、図４、図５（ａ）及び（ｂ））を設けておくのが好ましい。また図５に示したように、当て板４の隅部に面取り４３を設けたり、丸み４４を付けておけば、当て板４の取り出し時に或いは必要により当て板４を包装体に収納する際に、外装紙を破くような不都合が避けられる。
【００１０】
本発明の包装形態は、外装紙内に収められる枚葉紙がＡ−２判より大きい大判紙に特に好適であるが、Ａ−２判より小さい用紙にも適用できることは勿論である。また、包装体を構成する外装紙には、文字通り、紙（特にクラフト紙が良好である）が用いられるが、ガイド板又は当て板には一般には段ボールが用いられる。
【００１１】
【発明の効果】
請求項１の発明によれば、枚葉紙の両端にあるガイド板を取外すことにより、外装紙のタイト性が軽減できる（余裕度が発生する）ので、中にある枚葉紙を容易に取出せる。
請求項２の発明によれば、枚葉紙の上にある引手部付当て板を取外すことにより、請求項１の発明と同様に包装され大判紙を容易に取出せる。
【図面の簡単な説明】
【図１】図１（ａ）は外装紙１と枚葉紙２の両端との間にガイド板３がセットされている様子を表わした図、図１（ｂ）は外装紙１の一端が開封され、そこから引手部３１によってガイド板３が引き抜かれる様子を表わした図である。
【図２】図２（ａ）は包装中に枚葉紙とともに当て板が収められている図、図２（ｂ）は当て板が抜き出されている様子を表わした図である。
【図３】手掛穴を設けた当て板の図である。
【図４】２つの手掛穴を設けた当て板の図である。
【図５】図５（ａ）は手掛穴を設けるとともに、四隅に面取りを設けた図、図５（ｂ）は丸みを付けた図である。
【図６】図６（ａ）は縦包装形態の図、図６（ｂ）は横包装形態の図である。
【図７】図７（ａ）は枚葉紙の両端にガイド板をセットした図、図７（ｂ）はそのガイド板を外したことによって発生する外装紙の余裕度を数値化した図である。
【図８】図８（ａ）は枚葉紙の上に当て板を配した図、図８（ｂ）はその当て板を外したことによって発生する外装紙の余裕度を数値化した図である。
【符号の説明】
１  外装紙
２  大判紙
３  ガイド板（３１引手部）
４当て板（４１引手部、４２手掛穴、４３面取り、４４丸み）
【図１】
0003709952.tif 000002
【図２】
0003709952.tif 000003
【図３】
0003709952.tif 000004
【図４】
0003709952.tif 000005
【図５】
0003709952.tif 000006
【図６】
0003709952.tif 000007
【図７】
0003709952.tif 000008
【図８】
0003709952.tif 000009